【事件の表示】
　特願２０００−２２２９３３「ガラス扉保持機構」拒絶査定不服審判事件〔平成１４年　２月　５日出願公開、特開２００２−　３５３５１〕について、次のとおり審決する。
【結　論】
　本件審判の請求は、成り立たない。
【理　由】
１．手続きの経緯
　本願は、平成１２年７月２４日の出願であって、平成１６年２月１０日付の拒絶理由通知が通知され、平成１６年４月１６日付で意見および手続補正がなされ、平成１６年５月１２日付の拒絶査定がなされ、平成１６年６月１７日に審判請求がなされ、平成１６年７月１６日付で手続補正がなされたものである。
　　　　　　　　　　　　　　　　　　　　　　　　　　　
　そして、平成１６年７月１６日付の手続補正における請求項１に係る発明は、平成１６年４月１６日付の手続補正により補正された請求項１に記載された発明をなんら補正するものではなく、両者は全く同一の構成を有するものである。
　　　　　　　　　　　　　　　　　　　　　　　　　　　　　
　そうすると、平成１６年７月１６日付の手続補正における請求項１に係る発明は、その請求項１において特定される下記のとおりのものである。
　　　　　　　　　　　　　　　　　　　　　　　　　　　　　　
　「パチンコ機本体に設けられたガラス扉保持機構であって、
　遊技盤を覆うガラスが装着されたガラス枠と、
　前記パチンコ機本体に取付けられた固定軸と、
　前記ガラス枠に設けられ、前記固定軸に回動可能に軸支された軸部と、
　前記固定軸の外周面の周方向の一部に形成された被摺動部材と、
　前記軸部の内周面の周方向の一部に設けられ、前記被摺動部材を摺動して前記ガラス扉を停止させ、ガラス扉を所定角度の開放状態で保持すると共に、ガラス扉の保持状態から設計値以上のトルクでガラス扉を回動させると、保持状態を解除してガラス扉を回動可能とする摺動部材と、
　を有することを特徴とするガラス扉保持機構。」（以下、「本願発明」という。）
　　　　　　　　　　　　　　　　　　　　　　　　　　　　
２．引用例について
　原査定の拒絶の理由に引用された特開平９−１４０８９２号公報（以下、「引用例」という。）には、以下の技術事項が図面とともに記載されている。
　　　　　　　　　　　　　　　　　　　　　　　　　　　　
・記載事項１
　「【０００５】【発明の実施の形態】以下本発明の実施の形態を図面に基づき説明する。図１はパチンコ機の斜視図、図２はガラス扉枠を開いた状態を示すパチンコ機の正面図である。図中１は機枠であり、該機枠１の前面に窓開口２を開設した額縁状の合成樹脂製の前面枠３が開閉可能に支持される。前面枠３の後側に遊技盤４が配設され、窓開口２には遊技盤４の前面上部を覆うガラス扉枠５と前面下部を覆う前板６がそれぞれ上下に配置される。なお、遊技盤４面にはガイドレール７によって囲われる遊技部４ａに可変表示装置８，入賞装置９，風車１０，釘１１等の各種盤面部品が装着される。１２は前板６前面に装着されパチンコ球を打球発射部へ供給するための打球供給皿、１３は前面枠３の下部前面に装着され打球供給皿１２から零れる余剰球を貯留する下部球受皿である。」
　　　　　　　　　　　　　　　　　　　　　　　　　　　　　　
・記載事項２
　「【０００６】前記ガラス扉枠５は前面枠３の窓開口２の内周縁に合致する合成樹脂製の方形枠体１４とその裏側に取着される２枚の透明なガラス板１５とよりなる。そして、方形枠体１４の上枠杆部１４ａの左側端部に常にスプリング１６により上方へ付勢される係合軸１７が設けられ、また下枠杆部１４ｂの左側端部には図３に示すように軸孔１８が設けられる。」
　　　　　　　　　　　　　　　　　　　　　　　　　　　　　
・記載事項３
　「【０００７】一方、前面枠３の窓開口２には、上辺部２ａの左側端部に前記係合軸１７が嵌入される軸孔１９が設けられる。また、左側辺部２ｂであってガラス扉枠５と前板６との境に位置して軸支持片２０が固着され、該軸支持片２０の水平板部２０ａに前記ガラス扉枠５の軸孔１８に嵌入する係合軸２１が突設される。なお、該係合軸２１は水平板部２０ａの下面側にも突設され、前板６の上側板部６ａに設けられる軸孔２２に嵌入されて前板６の支軸も兼備できるようになっている。」
　　　　　　　　　　　　　　　　　　　　　　　　　　　　　　　
・記載事項４
　「【０００８】そして、各軸孔１８，１９に各係合軸２１，１９をそれぞれ嵌入することにより、前面枠３に対してガラス扉枠５が左枠杆部１４ｃ側を支点にして開閉自在に装着される。ガラス扉枠５の右枠杆部１４ｄの内側に施錠部２３が設けられ、閉鎖した状態で前面枠３一側の施錠装置２４と係合してロックされる。」
　　　　　　　　　　　　　　　　　　　　　　　　　　　　　　
・記載事項５
　「【０００９】しかして、前記軸支持片２０の水平板部２０ａはガラス扉枠５より前側へ少し突出しており、その上面には図３に示すよう半球状の係合凸部２５が設けられ、これに対し、ガラス扉枠５の下枠杆部１４ｂの下面に係合凸部２５が係合し得る係合凹部２６が設けられている。ガラス扉枠５は通常前面枠３に対して約１００〜１０５度位に開かれた位置が全開状態とされるが、前記係合凸部２５と係合凹部２６はガラス扉枠５の全開位置でそれぞれ係合するようそれらの位置が選ばれる。また、係合凸部２５はガラス扉枠５の開閉動作に支障のないようガラス扉枠５の上下方向のガタ付きの範囲でその高さが決められる。なお、係合凸部２５と係合凹部２６とは逆に設けるようにしても何ら差し支えなく、また、これらを複数組設けるようにしても良い。」
　　　　　　　　　　　　　　　　　　　　　　　　　　　　　
・記載事項６
　「【００１０】本発明は上記構成よりなり、例えばパチンコホールで営業終了後に、遊技盤４面の釘調整や掃除等をする場合、ガラス扉枠５を解錠して図４，図５に示すよう全開位置まで開き、係合凸部２５と係合凹部２６を係合させる。これにより、ガラス扉枠５がその位置で保持され無用に変動することが無くなり、ガラス扉枠５に邪魔されず楽に作業が行なえる。また、作業終了後はガラス扉枠５を閉鎖する方向へ移動させ、係合凸部２５と係合凹部２６との係合を外してそのまま閉鎖する。このように、ガラス扉枠５の開閉動作のみで自然と全開位置に保持しまたは解除できることとなり、簡単であり余分な操作を必要としない。」
　　　　　　　　　　　　　　　　　　　　　　　　　　　　
　以上の記載事項１〜記載事項６及び図１〜図５の記載によれば、引用例には次の発明が記載されていると認められる。
　　　　　　　　　　　　　　　　　　　　　　　　　　　　
「機枠１に対してガラス板１５と方形枠体１４とからなるガラス扉枠５を全開位置で拘束保持および解除できるパチンコ機であって、
　遊技盤４を覆うガラス板１５が装着された方形枠体１４と、
　機枠１に取付けられた係合軸２１と、
　方形枠体１４に設けられ、係合軸２１に回動可能に軸支された軸孔１８と、
　機枠１の軸支片２０に設けられた係合凸部２５と、
　前記ガラス扉枠５を停止させ、ガラス扉枠５を約１００〜１０５度の開放状態で保持すると共に、ガラス扉枠５の全開位置からガラス扉枠５を閉鎖する方向へ移動させて係合凸部２５との係合を外し、全開位置を解除してガラス扉枠５を回動可能とするガラス扉枠５を全開位置で拘束保持および解除できるパチンコ機。」（以下、「引用例に記載された発明」という。）
　　　　　　　　　　　　　　　　　　　　　　　　　　　　　
３．対比
　引用例に記載された発明と本願発明を対比すると、引用例に記載された発明の「機枠１」は本願発明の「パチンコ機本体」に相当している。以下同様に、「ガラス板１５」は「ガラス」に、「方形枠体１４」は「ガラス枠」に、「遊技盤４」は「遊技盤」に、「係合軸２１」は「固定軸」に、「軸孔１８」は「軸部」に、「約１００〜１０５度」は「所定角度」、「全開位置」は「保持状態」にそれぞれ相当している。
　　　　　　　　　　　　　　　　　　　　　　　　　　　　　　　　　
　ところで、本願発明の「ガラス扉」は、ガラス扉保持機構の名称の一部として示されているものの、その構成は必ずしも明らかではないが、明細書および図面および扉に関する技術常識に基づけば、ガラス扉はガラスとガラス枠から構成されていると解され、そして、上記したように、引用例に記載された発明のガラス扉枠５はガラス板１５と方形枠体１４とから構成され、かつ、引用例に記載された発明の「ガラス板１５」と「方形枠体１４」はそれぞれ「ガラス」と「ガラス枠」に相当していることは明らかであるから、引用例に記載された発明の「ガラス扉枠５」は本願発明の「ガラス扉」に実質的に相当しているということができる。
　　　　　　　　　　　　　　　　　　　　　　　　　　
　そして、さらに、引用例に記載された発明は、以下の点を実質的に具備しているということができる。
　　　　　　　　　　　　　　　　　　　　　　　　　　　　
（１）実質的具備事項１
　引用例の記載事項４の「【０００８】そして、各軸孔１８，１９に各係合軸２１，１９をそれぞれ嵌入することにより、前面枠３に対してガラス扉枠５が左枠杆部１４ｃ側を支点にして開閉自在に装着される。ガラス扉枠５の右枠杆部１４ｄの内側に施錠部２３が設けられ、閉鎖した状態で前面枠３一側の施錠装置２４と係合してロックされる。」なる記載、同記載事項６の「【００１０】・・・遊技盤４面の釘調整や掃除等をする場合、ガラス扉枠５を解錠して図４，図５に示すよう全開位置まで開き、係合凸部２５と係合凹部２６を係合させる。これにより、ガラス扉枠５がその位置で保持され無用に変動することが無くなり、ガラス扉枠５に邪魔されず楽に作業が行なえる。・・・このように、ガラス扉枠５の開閉動作のみで自然と全開位置に保持しまたは解除できることとなり、簡単であり余分な操作を必要としない。」なる記載と図２、図３に基づけば、引用例に記載されたパチンコ機は、ガラス扉枠５を前面枠３に対して、全開位置で拘束保持および解除が容易にできるものであるから、パチンコ機は、ガラス扉枠５、係合軸２１、軸孔１８、係合凸部２５、並びに係合凹部２６から構成されるガラス扉枠保持機構を具備していると言うことができる。
　そして、引用例に記載された発明の「ガラス扉枠５」は、本願発明の「ガラス扉」に相当していることは上記したとおりである。
　そうすると、引用例に記載された発明は、ガラス扉保持機構を実質的に具備していることは明らかである。
　　　　　　　　　　　　　　　　　　　　　　　　　　　　
（２）実質的具備事項２
　引用例の記載事項６の「【００１０】・・・また、作業終了後はガラス扉枠５を閉鎖する方向へ移動させ、係合凸部２５と係合凹部２６との係合を外してそのまま閉鎖する。このように、ガラス扉枠５の開閉動作のみで自然と全開位置に保持しまたは解除できることとなり、簡単であり余分な操作を必要としない。」なる記載に基づけば、ガラス扉枠５を全開位置状態から閉鎖する方向に移動させ、係合凸部２５と係合凹部２６との係合を外して、閉鎖状態にするのであり、係合凸部２５と係合凹部２６との係合外しは、ガラス扉枠５が一定以上の回動力＝トルクで回動されて、両者間の係合が外れることにより行われることは機構学上の常識であるから、引用例に記載された発明の「ガラス扉枠５の全開位置からガラス扉枠５を閉鎖する方向へ移動させて係合凸部２５との係合を外す」は、「設計値以上のトルクでガラス扉を回動させる」と実質的に言い換えることができる。
　　　　　　　　　　　　　　　　　　　　　　　　　
　以上の実質相当事項および実質的具備事項１〜２に基づいて、本願発明と引用例に記載された発明を対比すると、本願発明と引用例に記載された発明は、
　　　　　　　　　　　　　　　　　　　　　　　　　　　
　「パチンコ機本体に設けられたガラス扉保持機構であって、
　遊技盤を覆うガラスが装着されたガラス枠と、
　パチンコ機本体に取付けられた固定軸と、
　ガラス枠に設けられ、固定軸に回動可能に軸支された軸部と、
　ガラス扉を停止させ、ガラス扉を所定角度の開放状態で保持すると共に、ガラス扉の保持状態から設計値以上のトルクでガラス扉を回動させると、保持状態を解除してガラス扉を回動可能とするガラス扉保持機構。」の点で一致し、以下の点で相違していると認められる。
　　　　　　　　　　　　　　　　　　　　　　　　　　　　
＜相違点＞　　
　パチンコ機本体に対してガラス扉を所定角度の開放状態で保持し、その開放状態を解除する機能を、本願発明においては、固定軸の外周面の周方向の一部に被摺動部材と軸部の内周面の周方向の一部に摺動部材を設けて、その被摺動部材を摺動部材に対して摺動させることにより実現しているのに対して、引用例に記載された発明においては、機枠１の軸支片２０に係合凸部２５とガラス扉の下枠杆部１４ｂに係合凹部２６を設けて、ガラス扉を係合軸部２１を回動支点としてパチンコ機本体に対して開放状態となるように回動させ、係合凹部２６を係合凸部２５に対して係合させることにより実現している点。
　　　　　　　　　　　　　　　　　　　　　　　　　　　
（４）判断
　上記相違点について、検討する。
　一般的な開閉自在な扉を開放状態に保持および開放状態の解除を行う際に、回動軸側の外周面の周方向に突起して摺動を被る部材を設ける一方、回動軸を受け入れる軸受部の内周面の周方向の凹部等に摩擦抵抗を有する摺動する部材を設け、この被摺動部材と摺動部材の間において摩擦抵抗を生じせしめることにより、扉の開放状態の保持および開放状態の解除の機能を実現するようにすることは、周知技術に過ぎない（必要であれば、特開平１１−８４９８２号公報の【００２４】図３、図４、特開平８−１４５１０６号公報の【００４０】図１３、特開平５−１５４８６４号公報の【００１１】図５等参照されたい。）。
　そして、引用例に記載された発明と上記周知技術はともに、扉の開放状態の保持および開放状態の解除に関する技術において共通しているから、相互に利用することに格別の困難性を見出すことができない。
　　　　　　　　　　　　　　　　　　　　　　　　　　　　　　
　そうすると、パチンコ機においてガラス扉の開放状態の保持および開放状態の解除を行う機能を実現するに当たって、引用例に記載された発明の機枠１の軸支片２０の係合凸部２５とガラス扉枠５の下枠杆部１４ｂの係合凹部２６とからなる機構に代えて、上記周知技術を参酌することにより、係合軸２１である固定軸の外周面の周方向の一部に被摺動部材を設ける一方、軸孔１８である軸部の内周面の周方向の一部に摺動部材を設ける機構を採用すること、すなわち、上記本願発明の相違点に係る構成となすことは、当業者が容易になし得る程度のことということができる。
　　　　　　　　　　　　　　　　　　　　　　　　　　　　　　
（５）作用効果
　よって、本願発明は、引用例に記載された発明および周知技術に基づいて、当業者が容易に発明することができたものであり、本願発明によって奏する効果も、引用例に記載された発明および周知技術に基づいて、普通に予測できる範囲内のものであって格別のものがあるとは認められない。
　　　　　　　　　　　　　　　　　　　　　　　　　　
（６）むすび
　以上のとおり、本願発明は、引用例に記載された発明および周知技術に基づいて、当業者が容易に発明をすることができたものであるから、特許法第２９条第２項の規定により特許を受けることができない。
　したがって、他の請求項について検討するまでもなく本願は拒絶されるべきものである。
　よって、結論のとおり審決する。